(57)【要約】【課題】複数のスラットをそれぞれキャリヤを介して移動可能に吊持した縦型ブラインドにおいて、各スラット間の距離を互いに等しくする。【解決手段】最先端側のスラット２３を移動軸１１によって移動されるリードキャリヤ２１に吊持し、それ以外のスラットを移動軸１１上を摺動自在に移動するキャリヤ２０に吊持し、しかも総てのキャリヤ２０およびリードキャリヤ２１間に、つる巻きばね２３を張設し、リードキャリヤ２１によって総てのつる巻きばね５３に力を加えて各つる巻きばね５３が互いに等しい変位を生ずるようにする。【選択図】図７
2016160653.tif 000002
【特許請求の範囲】
【請求項１】
横方向に延びる移動軸上に複数のキャリヤを移動可能に取付け、該キャリヤにそれぞれスラットを吊下げ支持した縦型ブラインドにおいて、
前記キャリヤ間に前記移動方向の弾性復元力を生ずるばねを配設し、前記キャリヤ間の距離を前記ばねの弾性復元力によって設定した縦型ブラインド。
【請求項２】
前記移動軸と平行に回転操作軸が配され、前記キャリヤを前記移動軸と前記回転操作軸が串刺し状に貫通し、しかも閉鎖方向先端側のキャリヤが前記移動軸の送り機構によって前記移動軸上を移動しながら他のキャリヤを引張って開閉動作を行なう請求項１に記載の縦型ブラインド。
【請求項３】
前記先端側のキャリヤ以外のキャリヤは、前記移動軸と係合することなく前記移動軸に対してその軸線方向に移動自在である請求項1または請求項２に記載の縦型ブラインド。
【請求項４】
前記ばねは前記キャリヤによって総てのスラットが収納位置に収納された状態においてもなお互いに隣接するキャリヤを互いに引付けあるいは押圧するように弾性復元力を生ずる請求項１に記載の縦型ブラインド。
【請求項５】
総ての前記ばねの弾性復元力が互いに等しく、スラットの移動位置に関わらず前記キャリヤ間の距離が互いに等しい請求項１〜４の何れかに記載の縦型ブラインド。
【請求項６】
前記ばねがリボン状の板ばねを巻装したつる巻きばねである請求項１、請求項４、または請求項５に記載の縦型ブラインド。
【請求項７】
前記つる巻きばねを構成する板ばねの一端がケーシング内の支軸に固定され、前記ばねの他端が前記ケーシングから引出されて止着部を構成し、前記ケーシングと前記止着部とが互いに隣接するキャリヤに固着されている請求項６に記載の縦型ブラインド。
【請求項８】
前記ばねが交互に前記キャリヤに固着されている請求項７に記載の縦型ブラインド。
【発明の詳細な説明】
【技術分野】
【０００１】
本発明は縦型ブラインドに係り、とくに横方向に延びる移動軸上に複数のキャリヤを移動可能に取付け、各キャリヤにそれぞれスラットを吊下げ支持した縦型ブラインドに関する。
【背景技術】
【０００２】
従来より、上部のキャリヤケース内の移動軸または回転操作軸に摺動可能に組合された複数のキャリヤと、これらのキャリヤに吊持され対応するキャリヤの移動とともに移動しかつキャリヤに対して回転するスラットを備えた縦型ブラインドが知られている。縦型ブラインドにおいては、垂直に吊持されたスラットの多数を遮光部材とするようになっており、キャリヤケースの内部に長さ方向にブラインドを開閉するための移動軸と、スラットの回転のための回転操作軸とを備えている。またキャリヤをキャリヤケースの長さ方向の基端側に集めたブラインドの開き状態から、キャリヤケースの全長に亘ってほぼ均等に整列させたブラインドの閉じ状態の間で開閉できるようにするとともに、ブラインドの閉じ状態において回転操作軸を回転させることによりスラットを垂直軸回りに回転させることができ、これにより調光態を調節できるようになっている。
【０００３】
ここで従来の縦型ブラインドは、各キャリヤあるいはスラットが、互いに紐によって順次連結されており、全閉状態において総ての紐が緊張状態となる寸法に設定されていた。そして先端側のキャリヤがまず閉じる方向に移動し、次いで紐で連結された次のキャリヤが移動し、順次いもづる式に各スラットを閉じる方向に移動させるようになっている。従って、全閉状態においては各スラット間の距離は互いに等しくなるものの、途中まで閉じた状態あるいは開いた状態においては、各スラット間の間隔が不均一になる問題がある。また開閉動作の途中で止めてもう一度閉じようとすると、配列されるスラットの一部が団子状に近接してしまう欠点を有している。
【先行技術文献】
【特許文献】
【０００４】
【特許文献１】特開平５−３３５６８号公報
【特許文献２】特開２００８−２８０８００号公報
【発明の概要】
【発明が解決しようとする課題】
【０００５】
本願発明の課題は、開閉方向に配列される複数のスラットの間の間隔が、開閉の状態に関わりなく常に互いに等しくなるようにした縦型ブラインドを提供することである。
【０００６】
本願発明の別の課題は、開放動作時および閉鎖動作時において、総てのスラットの間隔が互いに等しい状態で開閉操作が行なわれるようにした縦型ブラインドを提供することである。
【０００７】
本願発明のさらに別の課題は、開放あるいは閉鎖の途中で止めても、一部のスラットが互いに団子状にくっついてしまう不具合を解消できるようにした縦型ブラインドを提供することである。
【０００８】
本願発明の上記の課題および別の課題は、以下に述べる本願発明の技術的思想、およびその実施の形態によって明らかにされる。
【課題を解決するための手段】
【０００９】
本願の主要な発明は、横方向に延びる移動軸上に複数のキャリヤを移動可能に取付け、該キャリヤにそれぞれスラットを吊下げ支持した縦型ブラインドにおいて、
前記キャリヤ間に前記移動方向の弾性復元力を生ずるばねを配設し、前記キャリヤ間の距離を前記ばねの弾性復元力によって設定した縦型ブラインドに関するものである。
【００１０】
ここで、前記移動軸と平行に回転操作軸が配され、前記キャリヤを前記移動軸と前記回転操作軸が串刺し状に貫通し、しかも閉鎖方向先端側のキャリヤが前記移動軸の送り機構によって前記移動軸上を移動しながら他のキャリヤを引張って開閉動作を行なってよい。また前記先端側のキャリヤ以外のキャリヤは、前記移動軸と係合することなく前記移動軸に対してその軸線方向に移動自在であってよい。また前記ばねは前記キャリヤによって総てのスラットが収納位置に収納された状態においてもなお互いに隣接するキャリヤを互いに引付けあるいは押圧するように弾性復元力を生ずるようにしてよい。また総ての前記ばねの弾性復元力が互いに等しく、スラットの移動位置に関わらず前記キャリヤ間の距離が互いに等しくてよい。また前記ばねがリボン状の板ばねを巻装したつる巻きばねであってよい。また前記つる巻きばねを構成する板ばねの一端がケーシング内の支軸に固定され、前記ばねの他端が前記ケーシングから引出されて止着部を構成し、前記ケーシングと前記止着部とが互いに隣接するキャリヤに固着されていてよい。また前記ばねが交互に前記キャリヤに固着されていてよい。
【発明の効果】
【００１１】
本願の主要な発明は、横方向に延びる移動軸上に複数のキャリヤを移動可能に取付け、該キャリヤにそれぞれスラットを吊下げ支持した縦型ブラインドにおいて、
前記キャリヤ間に前記移動方向の弾性復元力を生ずるばねを配設し、前記キャリヤ間の距離を前記ばねの弾性復元力によって設定したものである。
【００１２】
従ってこのような縦型ブラインドによると、各キャリヤ間に移動方向の弾性復元力を生ずるように設定されたばねによって、各キャリヤ間のばねの弾性復元力が互いに等しく設定されるようになり、開放動作および閉鎖動作の何れの場合においても、各スラット間の距離は常に等しい状態に維持される。また開放あるいは閉鎖の動作を途中で止めた場合であっても、各スラット間の距離がばねの弾性復元力によって互いに等しく維持されることになり、一部のスラットが団子状に固まるような不具合が解消される。
【図面の簡単な説明】
【００１３】
【図１】本発明の一実施の形態に係る縦型ブラインドの正面図である。
【図２】同縦型ブラインドの要部外観斜視図である。
【図３】キャリヤの分解斜視図である。
【図４】先頭側のリードキャリヤの分解斜視図である。
【図５】ばねの取付けを示す要部平面図である。
【図６】ばねの取付けを示す拡大縦断面図である。
【図７】ばねの配列を示す力学的モデル的な側面図である。
【図８】変形例に係るばねの取付けを示す要部平面図である。
【図９】別の変形例に係るばねの取付けを示す要部側面図である。
【発明を実施するための形態】
【００１４】
以下本願発明を図示の実施の形態によって説明する。図１はこの実施の形態に係る縦型ブラインドの全体の構成を示すものであって、ガラス戸やガラス窓等が取付けられる建物の開口部には、図１に示すような縦型ブラインドが取付けられる。縦型ブラインドは、窓ガラスあるいはガラス戸を組込んだ建具が嵌め込まれた開口部の内側に取付けられ、その上部にキャリヤケース１０が取付けられるようになっている。そしてこのキャリヤケース１０内には、図２に示すように、移動軸１１と回転操作軸１２とが互いに平行に配されるようになっている。これらの移動軸１１および回転操作軸１２は、図１に示すキャリヤケース１０の長さ方向の両端の軸受け１３によってそれぞれ回転可能に支持される。図１においては、手前側の回転操作軸１２の軸受け１３のみを示しているが、移動軸１１についても同様の軸受けによって回転支持されている。
【００１５】
移動軸１１の図１において左端側には移動操作ホイール１４が固着され、この移動操作ホイール１４に移動操作紐１５が巻付けられている。これに対して回転操作軸１２の左端には、回転操作ホイール１６が固着され、この回転操作ホイール１６に回転操作紐１７が巻付けられている。
【００１６】
上記移動軸１１と回転操作軸１２とは、図２に示すように、キャリヤケース１０の長さ方向であって横方向に水平に配列されている。そしてこれらの移動軸１１と回転操作軸１２とがキャリヤ２０およびリードキャリヤ２１を串刺し状に貫通しており、キャリヤ２０およびリードキャリヤ２１は、上記移動軸１１と回転操作軸１２とによって支持されている。そして各キャリヤ２０およびリードキャリヤ２１には下方にフック２２が取付けられており、このフック２２によってスラット２３が吊持されている。また各スラット２３の幅方向の両端であって上端側の部分には連結紐２４が連結されている。連結紐２４は、この縦型ブラインドが全閉状態のときに緊張状態となる長さを有しており、スラット２３が互いにバタつかないように押える役目を果たしている。また各スラット２３の下端には、重りシート２５が取付けられており、スラット２３が安定な姿勢を維持するようにしている。
【００１７】
次に上記スラット２３を吊持しているキャリヤ２０について説明する。図１におけるキャリヤケース１０の長さ方向に配列された移動軸１１および回転操作軸１２上に取付けられているキャリヤ２０は、図３に示すように互いに対称な一対の半体から成るハウジング３０を備えている。そしてハウジング３０の内面側には、四角形の凹部３１が形成され、この四角形の凹部３１にはガイドスリーブ３２が嵌込まれている。ガイドスリーブ３２は凹部３１と係合する四角形の板状体であって、中央部に円形の摺動口を備え、この摺動口によって移動軸１１が回転可能であってしかも摺動可能に嵌合されるようになっている。またハウジング１０の円形の凹部３３にはウオームホイール３４が受入れられている。ウオームホイール３４は、内周面に爪を備えた中心孔によって断面が四角形の回転操作軸１２を挿通させるとともに、回転操作軸１２と一緒に回転するようになっている。しかもこのウオームホイール３４は、回転操作軸１２に対して摺動可能になっている。そしてハウジング３０の半円形の凹部３５にはウオーム３６が受入れられており、このウオーム３６が上記ウオームホイール３４と噛合っている。ウオーム３６の下端には連結軸３７が連設されており、この連結軸３７が上記フック２２を支持している。
【００１８】
次にリードキャリヤ２１の構造について説明する。キャリヤケース１０内のキャリヤの内、閉鎖方向先端側に位置し、他のキャリヤ２０を引張るリードキャリヤ２１は、図４に示すように互いに半体から成り、その四角形の凹部４１に係合板４２を備えている。係合板４２は、上記凹部４１の外形と整合する四角形の形状を成しており、しかも中心孔の部分には係合爪４３が形成されている。この係合爪４３が上記移動軸１１の外周面に形成された送りねじと係合されるようになっており、移動軸１１の回転によってこのリードキャリヤ２１を移動軸１１の軸線方向に移動させるようにしている。またハウジング４０の円形の凹部４１にはウオームホイール４５が受入れられている。ウオームホイール４５は半円柱状の凹部４６に受入れられたウオーム４７と噛合うようになっている。そしてここでもウオーム４７は、連結軸４８を介してフック２２を吊下げている。
【００１９】
次に図３、図４に示す各キャリヤ２０、２１間を、弾性的に引張るか押すつる巻きばね５３について図５および図６により説明する。つる巻きばね５３はばね鋼を細条の板状体としたものであって、ケース５４内において巻装されている。そしてケース５４の中心部に固着された中心軸５５のすり割り５６にばね５３の一端が固着されている。またケース５４から引出されたつる巻ばね５３の先端部は、固定用ビス５８によって隣接するキャリヤ２０に固定されている。すなわちケース５４とつる巻きばね５３の先端部５７とを、図６に示すように互いに隣接するキャリヤ２０間にそれぞれ固定し、つる巻きばね５３によってキャリヤ２０間に引張り方向あるいは押圧方向の弾性復元力が生ずるようにしている。
【００２０】
次に以上のような構成に係る縦型スラットの開閉の動作について説明する。図１において一番右側のスラット２３がリードキャリヤ２１に吊持されるとともに、他の総てのスラット２３はキャリヤ２０に吊持されている。また図１における左端のキャリヤ２０はキャリヤケース１０によって固定されており、移動できないようになっている。
【００２１】
以上のような状態において、図１において左端の移動操作紐１５を引張って移動操作ホイール１４を正方向又は逆方向に回転させる。するとこの移動操作ホイール１４が取付けられている移動軸１１が回転する。移動軸１１は送りねじであって外周面にねじ溝を備えている。そしてこのねじ溝が、図４に示すリードキャリヤ２１の係合板４２の中心孔に形成された係止爪４３と噛合っており、しかも係合板４２はハウジング４０の四角形の凹部４１に嵌込まれているために、それ自身は回転できない。従って移動軸１１の回転によってハウジング４０の全体が軸線方向に押される。すなわちリードキャリヤ２１は、移動軸１１の回転によって移動軸１１の軸線方向であってスラット２３の全開方向あるいは全閉方向に移動されるようになる。
【００２２】
これに対して他の総てのキャリヤ２０は、図３に示すように、そのハウジング３０の四角形の凹部３１に嵌込まれているガイドスリーブ３２の中心孔が単なる円形孔であって、移動軸１１はその中を空転するために、キャリヤ２０自体が移動軸１１によって軸線方向に送られることはない。
【００２３】
リードキャリヤ２１によって先端側のスラット２３が移動されると、図５および図６に示すつる巻きばね５３によって弾性的に連結されているキャリヤ２０が弾性復元力による引張り力または押圧力を受け、これによってキャリヤ２０は移動軸１１および回転操作軸１２上をそれらに案内されながら移動することになる。
【００２４】
今ここで図５に示す各つる巻きばね５３のばね定数をＫ１、Ｋ２、Ｋ３、・・・Ｋｎとし、リードキャリヤ２１によって２つ目以降のキャリヤ２０に加えられる力をｆとし、リードキャリヤ２１が移動した距離をｘとすると（図７参照）、
ｘ＝ｆ／ｋ１＋ｆ／ｋ２＋ｆ／ｋ３＋・・・・＋ｆ／ｋｎ
ここでｋ１＝ｋ２＝ｋ３＝・・・・ｋｎ＝ｋとすると、
ｘ=ｎｆ／ｋとなる。従って各つる巻きばねの変形量は、ｆ／ｋとなり、互いに等しくなる。上記の関係は、総てのスラット２３が収納された状態においてもなおつる巻きばね５３が引張り力あるいは押圧力を生ずる状態に設定しておけば、常に成り立ち、この縦型ブラインドの開閉状態の如何に関わらず、またスラット２３の移動位置の如何に関わらず、常に各キャリヤ２０、２１間の距離を互いに等しい値に設定することができ、このためにスラット２３間の間隔も常に等しい値に設定することができる。従って総てのスラット２３が等間隔に保たれ、美観に優れた縦型ブラインドになる。
【００２５】
次に各スラット２３の回転調整の動作を説明する。スラット２３の回転角度あるいはその向きの調整は、図１に示す回転操作紐１７を操作することによって行なわれる。回転操作紐１７を操作し、回転操作ホイール１６を正方向あるいは逆方向に回転させると、回転操作軸１２が回転される。そして回転操作軸１２は、図３に示すキャリヤ２０のウオームホイール３４および図４に示すリードキャリア２１のウオームホイール４５と係合されているために、回転操作軸１２を介してウオームホイール３４とウオームホイール４５とがそれぞれ回転することになる。従ってこのウオームホイール３４、４５によってウオーム３６、４７が回転し、ウオーム３６、４７の下端に連結軸３７、４８を介して取付けられているフック２２が左方向あるいは右方向に回転される。フック２２はスラット２３を吊持しているために、吊持されているスラット２３の向きが自由に変えられることになる。
【００２６】
以上のように本実施の形態の縦型ブラインドによると、図７にモデル的に描かれた連結構造を、図５および図６に示すつる巻きばね５３によって達成するようにしており、総てのキャリヤ２０とリードキャリヤ２１とが互いにつる巻きばね５３によって弾性復元力を生ずるように引張られあるいは押圧された状態で連結されている。従って、この縦型ブラインドの開閉の有無にかかわらず、またリードキャリヤ２１および先端のスラット２３の位置に関らず、総てのスラット２３間の距離が互いに等しくなる。この距離は、上述の式によって示したように、ｆ／ｋの値となる。ここでｆがリードキャリヤ２１が連結されたつる巻きばね５３に作用する力を表し、ｋがつる巻きばね５３のばね乗数を示している。
【００２７】
なお上記実施の形態は、各キャリヤ２０およびリードキャリヤ２１間をつる巻きばね５３によって引張り力を生ずるように連結した状態を示しているが、圧縮力を生ずるように設定してもよい。またばねとしてはコイルばね等の他のばねを用いることも可能である。またばねの架設方式についても、図８に示すように、１つ置きにかつその左右両側に連結するようにしてもよい。あるいはまた図９に示すように、キャリヤ２０の上部において交互に１つ置きに張設するようにしてもよい。またつる巻きばね５３あるいはコイルばねによる弾性復元力の付加の構造は、この縦型ブラインドの全閉状態および全開状態の何れにおいても引張り力あるいは圧縮力が発生するのならば、引張りばね、圧縮ばねの何れを用いるようにすることが可能である。
【００２８】
以上本願発明を図示の実施の形態によって説明したが、本願発明は上記実施の形態によって限定されることなく、本願発明の技術的思想の範囲内において各種の変更が可能である。例えばキャリヤ２０やリードキャリヤ２１の内部構造については、必ずしも上記実施の形態に限定されることなく、各種の従来形の構造が採用可能である。
【産業上の利用可能性】
【００２９】
本願発明は、複数のスラットをそれぞれキャリヤを介して移動可能に取付けるようにした縦型ブラインドに使用することができる。
【符号の説明】
【００３０】
１０  キャリヤケース
１１  移動軸
１２  回転操作軸
１３  軸受
１４  移動操作ホイール
１５  移動操作紐
１６  回転操作ホイール
１７  回転操作紐
２０  キャリヤ
２１  リードキャリヤ
２２  フック
２３  スラット
２４  連結紐
２５  重りシート
３０  ハウジング
３１  四角形の凹部
３２  ガイドスリーブ
３３  円形の凹部
３４  ウオームホイール
３５  半円柱状の凹部
３６  ウオーム
３７  連結軸
４０  ハウジング
４１  四角形の凹部
４２  係合板
４３  係止爪
４４  円形の凹部
４５  ウオームホイール
４６  半円形状の凹部
４７  ウオーム
４８  連結軸
５３  つる巻きばね
５４  ケース
５５  中心軸
５６  すり割り
５７  先端部
５８  固定用ビス
【図１】
2016160653.tif 000003
【図２】
2016160653.tif 000004
【図３】
2016160653.tif 000005
【図４】
2016160653.tif 000006
【図５】
2016160653.tif 000007
【図６】
2016160653.tif 000008
【図７】
2016160653.tif 000009
【図８】
2016160653.tif 000010
【図９】
2016160653.tif 000011